(57)【要約】【課題】扉部を開扉するための引き手構造であって、省スペース性、デザイン性といった利点を活かしつつ、簡単な構成でありながら引き手部を引っ張る際の指の負担の軽減についても両立させることができる引き手構造及びこれを備えた収納体を提供する。【解決手段】扉部を開扉するための引き手構造は、指を差し入れる凹形状の引き手部と、弾性又は粘性及びその両方を有する保持体とを備えている。引き手部は、指が該引き手部を引っ張る際に該指を掛ける前端部を有し、保持体は、前端部と対向する面において引き手部に指を差し入れた際の該指の少なくとも一部に対向する位置に設けられている。【選択図】図５
2019024685.tif 000002
【特許請求の範囲】
【請求項１】
扉部を開扉するための引き手構造であって、
指を差し入れる凹形状の引き手部と、弾性又は粘性及びその両方を有する保持体とを備え、
前記引き手部は、前記指が該引き手部を引っ張る際に該指を掛ける前端部を有し、
前記保持体は、前記前端部と対向する面において前記引き手部に前記指を奥まで差し入れた際の該指の少なくとも一部に対向する位置に設けられていることを特徴とする引き手構造。
【請求項２】
請求項１に記載の引き手構造であって、
前記前端部と対向する面における前記指の少なくとも一部に対向する位置は、該指の少なくとも第１関節及び／又は第２関節に対向する位置を含むことを特徴とする引き手構造。
【請求項３】
請求項１又は請求項２に記載の引き手構造であって、
前記引き手部を構成する凹部の底部から前記保持体の前記底部に近い側の端部までの前記凹部の深さ方向における距離が３０ｍｍ以下であり、かつ、前記保持体の前記底部に近い側の端部から前記底部に遠い側の端部までの前記凹部の深さ方向における距離が２５ｍｍ以上であることを特徴とする引き手構造。
【請求項４】
請求項１又は請求項２に記載の引き手構造であって、
前記引き手部を構成する凹部の底部から前記保持体の前記底部に近い側の端部までの前記凹部の深さ方向における距離が２０ｍｍ以下であり、かつ、前記保持体の前記底部に近い側の端部から前記底部に遠い側の端部までの前記凹部の深さ方向における距離が５５ｍｍ以上であることを特徴とする引き手構造。
【請求項５】
請求項１から請求項４までの何れか１つに記載の引き手構造であって、
前記保持体は、互いに異なる弾性率を有する２以上の保持体とされていることを特徴とする引き手構造。
【請求項６】
請求項１から請求項５までの何れか１つに記載の引き手構造であって、
前記凹形状は、底部に行くほど前記扉部の開扉側に向けて変位するように形成されていることを特徴とする引き手構造。
【請求項７】
請求項１から請求項６までの何れか１つに記載の引き手構造であって、
前記前端部の頂面は、開扉側に行くほど前記引き手部を構成する凹部の底部側に近づくことになるように傾斜していることを特徴とする引き手構造。
【請求項８】
請求項１から請求項７までの何れか１つに記載の引き手構造であって、
前記保持体の表面には、前記扉部の外観と同様の外観を有する板体が設けられていることを特徴とする引き手構造。
【請求項９】
請求項１から請求項８までの何れか１つに記載の引き手構造を備えたことを特徴とする収納体。
【発明の詳細な説明】
【技術分野】
【０００１】
本発明は、扉部を開扉するための引き手構造及びこれを備えた収納体に関する。
【背景技術】
【０００２】
従来技術として、扉部を開扉するための引き手構造としては、例えば、次に示すようなものがある。
【０００３】
特許文献１においては、手掛部を有して抽斗前面の板体の背面側一端部に切欠き形成された取付凹所に取り付けられた引き手において、手掛部は板体の前面側から差し入れた指先において第１関節のなす角が鈍角となる状態で接触し得るように形成された傾斜面を有している構成が開示されている。
【０００４】
特許文献２においては、当該文献２の図２に示すように、円形断面のハンドルがドアから突出して設けられている構成が開示されている。
【０００５】
特許文献３においては、当該文献３の図１に示すように、扉から突出した取っ手の形状の一部に持ち手部及び段部を備えた構成や、さらに当該文献３の図２０のような持ち手部に指を挿入するための貫通部を備えた構成が開示されている。
【０００６】
特許文献４においては、ハンドルを可動可能とするとともに、開扉時にハンドルの可動と連動する引掛り部が扉と庫内の接触面に備えたガスケットを部分的に変形させることで、扉を開ける際に庫外の空気を庫内に侵入させて、庫内の圧力を上昇させ、扉を小さな力で開けることができる構成が開示されている。
【０００７】
特許文献５においては、当該文献５の図２及び図３に示すように、引き出し扉の開扉時に手掛け部を手前に引くことによりハンドルが支点を軸に回転して可動板を押し、可動板が冷蔵庫本体の外箱を押すことで開扉力を軽くする構成が開示されている。
【先行技術文献】
【特許文献】
【０００８】
【特許文献１】特開２０１２−６１０８４号公報
【特許文献２】特開２０１５−１４６９３７号公報
【特許文献３】特開２０１３−１２６４５２号公報
【特許文献４】特開２００５−１９５２９７号公報
【特許文献５】特開２００３−６５６６５号公報
【発明の概要】
【発明が解決しようとする課題】
【０００９】
特許文献１に示すような、板体の端部に切り欠き形成された取付凹所に取り付けられた引き手は、板体から突出する部分も無く、また取付凹所そのものが目立ち難いため省スペースであり、デザイン性が良くなるといった利点がある。例えば、キャビネットなど大きさの制約がある収納ユニット等の収納体にて、収納のための空間を増やしつつ、全体的な大きさを減らすことができる。一方で、省スペース性を活かそうとするために取付凹所は指の第１関節までしか入らない程度の深さで形成されることが多く、そのような場合、指を取付凹所に引っ掛けたまま引っ張ることが難しくなる。そのため、引き手を引っ張る際には指先に多くの力を集中して指に掛ける必要があり、指に対する負担が大きいといった不都合があった。特に、指の第１関節に係わる筋肉のみに集中して負荷がかかることとなるため、使用者が感じる指への負担感も大きなものとなっていた。また、特許文献１に記載の構成では、差し入れた指先が鈍角となる状態で接触し得るように形成された傾斜面を設けるといった工夫が成されているが、指先の第１関節を掛け易くすることはできるものの、引っ張りの際の負荷が指先の第１関節に集中することについては解消されておらず、その点が課題であった。
【００１０】
また、指への負担が少ない引き手部の形状として、特許文献２や特許文献３に開示されているようなバーハンドル形状のものがある。バーハンドル形状の引き手部では多くの場合、引き手部を引っ張る際には引き手部を手のひら全体で握れるような設計がなされている。この場合、指にかかる力は第１関節や第２関節及びその他の部分に分散され、指の特定の筋肉への負荷の集中が起こり難いことから、使用者が感じる指への負担感を極力少なくすることができる。このように、バーハンドル形状の引き手部は、引き手部を引っ張る際の指への負担に関しては利点があるが、一方で引き手部そのものを扉から突出させることとなるため、省スペース性やデザイン性などの特性については劣るといった弱点があった。
【００１１】
特許文献４に記載のようにガスケットの変形を利用したり、特許文献５に記載のようにハンドルの回転により可動板を外箱に押し付けたりすることにより開閉力を軽くする技術も開示されているが、これらの構成では、部品点数も多く、構造も複雑になるだけでなく、コストが高くつくといった不都合があった。
【００１２】
また、特許文献５に記載のようにハンドルが引っ張り操作の際に可動することで、ハンドルと扉との間の指を差し入れる空間を広げることができるものにおいては、上記の省スペース性といった課題を一部解決することが期待できる。ただし、ハンドルの引っ張り始めの状態においてはやはり指を差し入れる空間が狭くなるため、例えば、指先でハンドルを引っ張り、充分に指全体が入る空間ができるまでハンドルを可動させてからハンドルを握るといったことを行う必要があるなど、必ずしも指への負担の軽減をも両立させた解決手段とはなっていないという不都合があった。
【００１３】
本発明は、以上のような課題に鑑みて成されたものであり、扉部を開扉するための引き手構造であって、省スペース性、デザイン性といった利点を活かしつつ、簡単な構成でありながら引き手部を引っ張る際の指の負担の軽減についても両立させることができる引き手構造及びこれを備えた収納体を提供することを目的とする。
【課題を解決するための手段】
【００１４】
前記課題を解決するために、本発明に係る引き手構造は、扉部を開扉するための引き手構造であって、指を差し入れる凹形状の引き手部と、弾性又は粘性及びその両方を有する保持体とを備え、前記引き手部は、前記指が該引き手部を引っ張る際に該指を掛ける前端部を有し、前記保持体は、前記前端部と対向する面において前記引き手部に前記指を奥まで差し入れた際の該指の少なくとも一部に対向する位置に設けられていることを特徴とする。また、本発明に係る収納体は、前記本発明に係る引き手構造を備えたことを特徴とする。
【発明の効果】
【００１５】
本発明によると、省スペース性、デザイン性といった利点を活かしつつ、簡単な構成でありながら引き手部を引っ張る際の指の負担の軽減についても両立させることが可能となる。
【図面の簡単な説明】
【００１６】
【図１】第１の実施形態に係る引き手構造を備えた収納体の概要を示す概略斜視図である。
【図２】図１に示す収納体の概略側面図であって、（ａ）は、扉部を閉じた状態を示す図であり、（ｂ）は、扉部を開放した状態を示す図である。
【図３】図１に示す引き手構造を拡大して示す概略側面図である。
【図４】扉部の開扉に際して引き手部に指を差し入れた様子を示す概略側面図である。
【図５】引き手部を引っ張る際の指及び引き手部の様子を示す概略側面図である。
【図６】比較例として前端部と対向する面に保持体が設けられていない引き手部及び指の姿勢の様子を示す概略側面図である。
【図７】保持体の大きさ、配設位置の寸法を説明するための概略側面図である。
【図８】保持体の大きさ、配設位置を様々に変化させた場合の引き手部の引き易さに関して被験者の主観により評価する実験を行った結果を示す図表である。
【図９】第１の実施形態において弾性率を互いに異ならせた２以上の保持体を用いた一例を示す概略側面図である。
【図１０】第１の実施形態において弾性率を互いに異ならせた２以上の保持体を用いた一例を示す概略側面図である。
【図１１】第１の実施形態において凹部を底部に行くほど扉部の開扉側に向けて変位するように形成した一例を示す概略側面図である。
【図１２】第１の実施形態において凹部を底部に行くほど扉部の開扉側に向けて変位するように形成した一例を示す概略側面図である。
【図１３】第１の実施形態において前端部の頂面を開扉側に行くほど凹部の底部側に近づくことになるように傾斜させた一例を示す概略側面図である。
【図１４】第１の実施形態において保持体が前端部と対向する面から突出した状態で該面に設けられた一例を示す概略側面図である。
【図１５】第１の実施形態において保持体の表面に板体を設けた一例を示す概略側面図である。
【図１６】第１の実施形態において保持体の表面に板体を設けた一例を示す概略側面図である。
【図１７】第２の実施形態に係る引き手構造を拡大して示す概略側面図である。
【図１８】第２の実施形態に係る引き手構造において扉部の開放動作の例を示す概略側面図である。
【図１９】第２の実施形態に係る引き手構造において扉部の開放動作の例を示す概略側面図である。
【図２０】第２の実施形態に係る引き手構造において扉部の開放動作の例を示す概略側面図である。
【図２１】第２の実施形態に係る引き手構造において扉部の開放動作の例を示す概略側面図である。
【図２２】第３の実施形態に係る引き手構造において引き手構造を扉部の中央寄りの位置に設けた一例を示す概略側面図である。
【図２３】第４の実施形態に係る引き手構造において第１の実施形態の変形例５に対してさらに扉部のロック機構を設けた一例を示す概略側面図である。
【図２４】第４の実施形態に係る引き手構造において第１の実施形態の変形例５に対してさらに扉部のロック機構を設けた一例を示す概略側面図である。
【図２５】第５の実施形態に係る引き手構造において第４の実施形態の構成を電気制御により実現させる例を示す概略側面図である。
【図２６】第５の実施形態に係る引き手構造において第４の実施形態の構成を電気制御により実現させる例を示す概略側面図である。
【図２７】第５の実施形態に係る引き手構造においてロック機構により扉部がロックされた状態からロック機構による扉部のロックが解除されるまでの流れの一例を示す流れ図である。
【図２８】第６の実施形態に係る引き手構造において自動開放機構により扉部が閉じた状態から自動開放機構による扉部が開放されるまでの流れの一例を示す流れ図である。
【図２９】板体と同期して動く押し出し部の一例を設けた概略側面図である。
【発明を実施するための形態】
【００１７】
以下、本発明に係る実施の形態について図面を参照しながら説明する。図中同一又は相当部分には同一符号を付してその説明は繰り返さない。なお、説明を分かりやすくするために、以下で参照する図面においては、構成が簡略化又は模式化して示されたり、一部の構成部材が省略されたりしている。また、各図に示された構成部材間の寸法比は、必ずしも実際の寸法比を示すものではない。
【００１８】
［第１の実施形態］
図１は、第１の実施形態に係る引き手構造１００を備えた収納体３００の概要を示す概略斜視図であり、図２は、図１に示す収納体３００の概略側面図である。図２（ａ）は、扉部２００を閉じた状態を示す図であり、図２（ｂ）は、扉部２００を開放した状態を示す図である。図３は、図１に示す引き手構造１００を拡大して示す概略側面図である。また、図４は、扉部２００の開扉に際して引き手部１１０に指Ｆを差し入れた様子を示す概略側面図である。
【００１９】
図１から図４に示すように、収納体３００（例えば冷蔵庫）は、天板（図示せず）、地板３１１、背板３１２、一対の側板３１３，３１４を有する前面開口の箱体３１０と、箱体３１０に対して所定の開扉方向Ｐ１（引っ張り方向）に開放可能な扉部２００を有する引き出し部３２０とを備えている。なお、天板側を上方向、地板側を下方向、一対の側板側を左右方向、背板側を後方向、扉部側を前方向とする。
【００２０】
収納体３００は、扉部２００を開扉するための引き手構造１００を備えている。引き手構造１００は、人の手の指Ｆ（主に親指を除く４指）を差し入れる下方向に凹む凹形状の引き手部１１０と、弾性又は粘性及びその両方を有する保持体１２０とを備えている。保持体１２０は、弾性を有する場合は弾性体として作用し、粘性を有する場合は粘性体として作用する。引き手部１１０は、指Ｆが引き手部１１０を引っ張る際に指Ｆを掛ける前端部１１１を有している。そして、保持体１２０は、前端部１１１と対向する面１００ａにおいて引き手部１１０に指Ｆを奥まで差し入れた際の（図４参照）指Ｆの少なくとも一部に対向する位置に設けられている。
【００２１】
ここで、「指Ｆの少なくとも一部に対向する位置」は、指Ｆを引き手部１１０に最も奥まで差し入れたときの指Ｆの全体又は一部に対向する位置であって、性別、年代、体格等の属性に関わらず、あらゆる指Ｆの大きさ（太さや長さ）をカバーできる位置であることが好ましい。
【００２２】
本実施の形態に係る引き手構造１００では、指Ｆを差し入れる引き手部１１０が下方向に凹む凹形状とされているので、引き手部１１０を構成する凹部１１０ａそのものを目立ち難くすることができる。さらに、これにより、省スペース性、デザイン性などの特性を向上させることができ、しかも、構造が簡単である。また、指Ｆを引き手部１１０に確実に引っ掛けることができ、これにより、指Ｆに対する負担を軽減させることができる。さらに、保持体１２０が前端部１１１と対向する面１００ａに設けられているので、引き手部１１０に指Ｆを差し入れたときに、保持体１２０を指Ｆに沿って変形（弾性変形）させつつ指Ｆを保持体１２０に押し付けることができる。これにより、指Ｆを保持体１２０に不快感なく押し付けることができる。また、保持体１２０に指Ｆを押し付けることで、指Ｆを支えることができ、これにより、指Ｆを曲げた姿勢を保持するために要する力を軽減させることができる。また、指Ｆを任意の曲げ具合で保持体１２０に押し付けることができ、これにより、利用者が最も力を発揮できる指Ｆの曲げ具合を保持したまま扉部２００を開放することができる。
【００２３】
このように、本実施の形態に係る引き手構造１００によれば、省スペース性、デザイン性といった利点を活かしつつ、簡単な構成でありながら引き手部１１０を引っ張る際の指Ｆの負担の軽減についても両立させることができる。
【００２４】
詳しい例として、引き出し部３２０は、開扉方向Ｐ１及び開扉方向Ｐ１とは反対の閉扉方向Ｐ２の開閉方向Ｐ（具体的には前後方向）に往復移動自在に（具体的にはスライド自在に）箱体３１０に設けられているものを挙げることができる。
【００２５】
引き手部１１０は、扉部２００の上端に設けられた下方向に凹む凹形状により形成されている。引き手部１１０を構成する凹部１１０ａは、凹部１１０ａの深さ方向Ｄ及び開閉方向Ｐの双方に直交する直交方向（具体的には正面から視て左右方向Ｈ）に延びている。凹部１１０ａの深さ方向Ｄは、この例では、鉛直方向又は略鉛直方向とされている。凹部１１０ａの開扉方向Ｐ１側（引っ張り方向側）には、指Ｆが引き手部１１０を引っ張る際に指Ｆの指先を掛ける前端部１１１が設けられている。前端部１１１は、扉部２００と一体形成されて扉部２００に連設されている。また、保持体１２０は、弾性素材からなる部材とされている。保持体１２０としては、それには限定されないが、例えば、ゴム、ウレタン樹脂のような弾性素材や、シリコンジェル等の粘性体としての性質の強い粘弾性素材、ばね等の付勢部材を用いることができる。
【００２６】
前端部１１１と対向する面１００ａは、この例では、前端部１１１よりも後方向側（開扉側とは反対側）で前端部１１１と対向するように扉部２００における壁部１１２の前端部１１１と対向する面とされている。すなわち、保持体１２０は、壁部１１２の前端部１１１と対向する面１００ａに設けられている。こうすることで、保持体１２０を扉部２００に設けることができ、これにより、扉部２００が箱体３１０から離間した後でも引き手部１１０を引っ張る際の指Ｆの負担の軽減を持続させることができる。
【００２７】
保持体１２０は、断面視で長方形状に形成されている。壁部１１２の前端部１１１と対向する面１００ａには、保持体１２０を埋め込むための埋込部１１２ａが設けられている。埋込部１１２ａは、保持体１２０の形状に対応する形状に形成されている。保持体１２０は、埋込部１１２ａの内側面１１２ｂに変形（弾性変形）可能に固定された状態で埋込部１１２ａに埋め込まれている。
【００２８】
図５は、引き手部１１０を引っ張る際の指Ｆ及び引き手部１１０の様子を示す概略側面図である。
【００２９】
本実施の形態において、前端部１１１と対向する面１００ａにおける指Ｆの少なくとも一部に対向する位置は、指Ｆの少なくとも第１関節Ｆ１及び／又は第２関節Ｆ２（この例では第１関節Ｆ１及び第２関節Ｆ２の双方）に対向する位置を含んでいる。ここで、第１関節Ｆ１は、指Ｆの最も先端側の関節をいい、第２関節は、第１関節の次の関節をいう。
【００３０】
引き手部１１０では、先ず、指Ｆ（特に人差し指、中指、薬指、小指）が扉部２００の上方から下方に向けて略鉛直に差し入れられる（図４参照）。次に、図５に示すように、引き手部１１０の引っ張りに際し、前端部１１１に掛けた指Ｆに開扉方向Ｐ１側へ力を加えると、指Ｆ全体にも握る方向の力が働くことで、指Ｆが第１関節Ｆ１及び第２関節Ｆ２で共に曲がり、その結果、指Ｆが第１関節Ｆ１及び第２関節Ｆ２で共に曲がった状態で第１関節Ｆ１の甲側の部分及び第２関節Ｆ２の甲側の部分を保持体１２０に押し当てて保持体１２０を指Ｆの甲側の部分に沿って変形（弾性変形）させる。保持体１２０が指Ｆの甲側の部分に沿って変形（弾性変形）することで、利用者の指Ｆの太さや長さに依らず、指Ｆの甲側の部分を不快感なく押し付けることができる。その際、保持体１２０の変形（弾性変形）により、指Ｆの第１関節Ｆ１の甲側の部分及び第２関節Ｆ２の甲側の部分はさらに閉扉方向Ｐ２側に向けて保持体１２０を押圧し、指Ｆは第１関節Ｆ１及び第２関節Ｆ２でさらに大きく曲げられる。このような指Ｆの姿勢をとることで、第１関節Ｆ１及び第２関節Ｆ２に係わる指Ｆの筋肉を収縮させながら指Ｆによる引き手部１１０の引っ張り動作を行うことができる。これにより、指Ｆの筋肉にかかる負担が不必要に大きくなりすぎることを回避することができ、ひいては使用者が感じる指Ｆへの負担感も不必要に大きくなりすぎることを回避することができる。
【００３１】
図６は、比較例として前端部１１１と対向する面１００ａに保持体１２０が設けられていない引き手部１１０及び指Ｆの姿勢の様子を示す概略側面図である。図６に示すように、前端部１１１と対向する面１００ａに保持体１２０が設けられていない場合には、指Ｆは、凹部１１０ａに差し入れたままの状態から第１関節Ｆ１をほぼ変化させることなく、ほぼまっすぐのままの姿勢で引き手部１１０の引っ張り動作を行うこととなる。その際、第１関節Ｆ１に係わる指Ｆの筋肉は伸びたままとなり、筋肉が収縮しにくくなる。その状態で引っ張り動作を行う場合、指Ｆの第１関節Ｆ１の筋肉に負荷がかかる。そうすると、指Ｆの筋肉にかかる負担が不必要に多くなる。そのため使用者が感じる指Ｆへの負担感も不必要に大きくなり、それが前端部１１１と対向する面１００ａに保持体１２０が設けられていない引き手部１１０における課題であった。
【００３２】
この点、本実施の形態においては、上記の通り、前端部１１１と対向する面１００ａへの保持体１２０の設置により指Ｆを第１関節Ｆ１及び第２関節Ｆ２の双方で適度に屈曲することができるため、使用者が感じる指Ｆへの負担感を不必要に大きくすることを回避することができる。
【００３３】
本実施の形態では、保持体１２０によって指Ｆの第１関節Ｆ１の甲側の部分及び第２関節Ｆ２の甲側の部分を支える効果がある。すなわち、指Ｆの指先を引き手部１１０の前端部１１１に掛けるとともに指Ｆの第１関節Ｆ１の甲側の部分及び第２関節Ｆ２の甲側の部分を保持体１２０に押し付けることができる。これにより、指Ｆの第２関節Ｆ２より指先側の部位の姿勢を安定的に固定することができる。このため、指Ｆの姿勢維持のための筋力をより小さくすることができ、結果として扉部２００の開扉に際して使用者が感じる指Ｆへの負担感をさらに軽減させることができる。また、保持体１２０の柔軟性により指Ｆの第１関節Ｆ１の甲側の部分及び第２関節Ｆ２の甲側の部分を押し付ける際に不必要な痛みなどの不快感を使用者に与えることを回避することができる。
【００３４】
また、本実施の形態においては、保持体１２０の変形（弾性変形）は使用者の指Ｆの甲側の部分の押し付け加減により調節することができる。このため、指Ｆの寸法の個人差に大きく影響されることなく上記の作用効果を得ることができる。このように、指Ｆの何れの寸法によっても上記の作用効果を得るには保持体１２０の大きさ、配設位置の寸法についても特定の範囲であることが好ましい。
【００３５】
図７は、保持体１２０の大きさ、配設位置の寸法を説明するための概略側面図である。図７において、Ｌａで示した距離は、凹部１１０ａの底部１１０ｂから保持体１２０の下端１２０ｙまでの深さ方向Ｄにおける寸法を、Ｌｂで示した距離は、保持体１２０の上端１２０ｘから下端１２０ｙまでの深さ方向Ｄにおける寸法を示している。すなわち、距離Ｌａは、深さ方向Ｄにおける凹部１１０ａの底部１１０ｂと保持体１２０との間の距離であり、距離Ｌｂは、深さ方向Ｄにおける保持体１２０の寸法である。ここで、保持体１２０の大きさ、配設位置を様々に変化させた場合の引き手部１１０の引き易さに関して被験者の主観により評価した実験を行ったので、その結果を図８に示す。
【００３６】
実験は、性別、年代、体格の異なる成人３０人を被験者として集め、被験者が引き手部１１０を引いた際の引き易さについて主観評価を行った。質問紙による５件法でデータの集計を行った。選択肢は、１：かなり引きにくい、２：引きにくい、３：どちらともいえない、４：引きやすい、５：かなり引きやすいとし、被験者全員の平均値について３未満の場合を「×」、３以上４未満の場合を「△」、４以上５以下の場合を「○」として図８に示す図表にまとめた。
【００３７】
図８に示す図表に基づくと、距離Ｌａが３０ｍｍ以下でかつ距離Ｌｂが２５ｍｍ以上であれば使用者が概ね良好な引き易さを感じることが分かった。さらには、距離Ｌａが２０ｍｍ以下でかつ距離Ｌｂが５５ｍｍ以上であれば使用者が明確に引き易さを感じることが分かった。従って、これらの範囲で保持体１２０の大きさ、配設位置の寸法を決めることにより、指Ｆの寸法の個人差に大きく影響されることなく、上記の作用効果を良好に得ることができることが分かった。
【００３８】
その他の利点として、保持体１２０により扉部２００の構造の一部を形成することで、その部分で保持体１２０が設けられていない場合に比べて扉部２００の強度を向上させることができる。また、外観においても指Ｆが保持体１２０を押し付けていないときに保持体１２０の表面１２０ａと前端部１１１と対向する面１００ａとが滑らかに接合するように（一致又は略一致するように）保持体１２０を形成することができる。こうすることで、保持体１２０の表面１２０ａと前端部１１１と対向する面１００ａとの段差を無くす又は極力少なくすることができ、これにより、扉部２００の美観性を向上させることができる。
【００３９】
なお、本実施の形態では、保持体１２０は、第１関節Ｆ１及び第２関節Ｆ２の双方に対向する位置に設けられる例を示したが、それに限らず、第１関節Ｆ１及び第２関節Ｆ２の何れか一方に対向する位置に設けられるものであっても良い。また、引き手構造１００は、扉部２００の上端部に設けられて引き手部１１０に指Ｆを上方から下方に差し入れる例を示したが、それに限らず、左右方向Ｈにおいて扉部２００の一方の側方の端部に設けられて引き手部１１０に指Ｆを一方の側方から他方の側方に差し入れるものであっても良いし、扉部２００の下端部に設けられて引き手部１１０に指Ｆを下方から上方に差し入れるものであっても良い。また、引き手構造１００は、扉部２００の端部に限らず、後述する図２２に示すような扉部２００の中央寄りの位置又は中央部の位置に設けられていても良い。また、扉部２００は、スライドするものであったが、それに限らず、鉛直方向又は左右方向Ｈに回動するものであっても良い。
【００４０】
保持体１２０の厚みとしては、それには限定されないが、例えば、５ｍｍ以上を挙げることができる。
【００４１】
［第１の実施形態の変形例］
次に、第１の実施形態の変形例１から変形例５について図９から図１６を参照しながら以下に説明する。
【００４２】
［変形例１］
図９及び図１０は、第１の実施形態において弾性率又は粘度、及びその両方を互いに異ならせた２以上の保持体１２０，１２０を用いた一例を示す概略側面図である。図９では、指Ｆが凹部１１０ａに差し入れられていない状態を、図１０では、指Ｆが凹部１１０ａに差し入れられている状態を示している。
【００４３】
保持体１２０は、互いに異なる弾性率を有する２以上（この例では２つ）の保持体１２１，１２２とされている。保持体１２１，１２２（１２０）は、指Ｆの差し入れ方向Ｖに沿って並設されている。保持体１２１，１２２は、指Ｆの差し入れ方向Ｖにおける下方側に行くに従って弾性率が大きい素材で形成されている。こうすることで、指Ｆの第１関節Ｆ１の方の保持体１２１（１２０）よりも第２関節Ｆ２の方の保持体１２２（１２０）を深く沈み込ませることができ、指Ｆの指先をさらに掛け易くすることができる。
【００４４】
保持体１２１，１２２（１２０）は、指Ｆの差し入れ方向Ｖにおける下方側に行くに従って粘性が小さい素材で形成されている。こうすることで、指Ｆの第１関節Ｆ１の方の保持体１２１（１２０）よりも第２関節Ｆ２の方の保持体１２２（１２０）で保持するように深く沈み込ませることができ、指Ｆの指先をさらに掛け易くすることができる。
【００４５】
詳しく述べると、下側の保持体１２１は、指Ｆの第１関節Ｆ１に対向する位置に設けられている。上側の保持体１２２は、指Ｆの第２関節Ｆ２に対向する位置に設けられている。下側に設けられた保持体１２１は、弾性率が上側に設けられた保持体１２２の弾性率よりも大きい材料を用いる。下側に設けられた保持体１２１は、粘性が上側に設けられた保持体１２２の粘性よりも小さい材料を用いる。なお、保持体１２１，１２２を開閉方向Ｐに層状に設けても良い。この場合、保持体１２１，１２２の弾性率が大きい方の厚みを差し入れ方向Ｖにおける下方側に行くほど大きくし、かつ、保持体１２１，１２２の弾性率が小さい方の厚みを差し入れ方向Ｖにおける下方側に行くほど小さくすることができる。また、保持体１２１，１２２全体の厚みを同じとすることができる。
【００４６】
［変形例２］
図１１及び図１２は、第１の実施形態において凹部１１０ａを底部１１０ｂに行くほど扉部２００の開扉側（前方向）に向けて変位するように形成した一例を示す概略側面図である。図１１では、指Ｆが凹部１１０ａに差し入れられていない状態を、図１２では、指Ｆが凹部１１０ａに差し入れられている状態を示している。
【００４７】
凹部１１０ａの凹形状は、底部１１０ｂに行くほど扉部２００の開扉側（開扉方向Ｐ１）に向けて変位するように（具体的には掘られるように）形成されている。こうすることで、凹部１１０ａに指Ｆを差し入れる際に、図１２に示すように、自然に指Ｆの先端部が開扉側（手前側）を向くように指Ｆを第１関節Ｆ１で曲げつつ指Ｆを凹部１１０ａに沿って案内することができる。これにより、指Ｆに第１関節Ｆ１及び第２関節Ｆ２の双方で適度に屈曲する姿勢をより容易にとらせることができる。詳しく述べると、凹部１１０ａの凹形状は、差し入れ方向Ｖにおいて下方側が上方側よりも使用者側に近づくように形成されている。
【００４８】
［変形例３］
図１３は、第１の実施形態において前端部１１１の頂面１１１ａを開扉側に行くほど凹部１１０ａの底部側に近づくことになるように傾斜させた一例を示す概略側面図である。図１３では、指Ｆが凹部１１０ａに差し入れられている状態を示している。
【００４９】
前端部１１１の頂面１１１ａは、開扉側に行くほど凹部１１０ａの底部側に近づくことになるように傾斜している。こうすることで、凹部１１０ａに指Ｆを差し入れた後、傾斜した頂面１１１ａに沿うように指Ｆの第２関節Ｆ２より根元側の部分を沿わせることができ、指Ｆに第１関節Ｆ１及び第２関節Ｆ２の双方で適度に屈曲する姿勢をより容易にとらせることができる。詳しい例として、前端部１１１の頂面１１１ａ（この例では上面）は、扉部２００の開扉側（開扉方向Ｐ１）に行くほど低くなるように傾斜しているものを挙げることができる。さらに詳しい例として、前端部１１１の頂面１１１ａの少なくとも扉部２００の開扉側の部分が、使用者側に近づくほど低くなるように傾斜しているものを挙げることができる。ここで、傾斜した頂面１１１ａは、平面状に形成されていても良いし、上に凸又は下に凸の曲面状に形成されていても良い。
【００５０】
［変形例４］
図１４は、第１の実施形態において保持体１２０が前端部１１１と対向する面１００ａから突出した状態で面１００ａに設けられた一例を示す概略側面図である。図１４では、指Ｆが凹部１１０ａに差し入れられていない状態を示している。
【００５１】
前端部１１１と対向する面１００ａには、前記した埋込部１１２ａが形成されておらず、前端部１１１と対向する面１００ａは、段差のない連続的な形状になっている。保持体１２０は、面１００ａから突出した状態で面１００ａに設けられ（具体的には貼り付けられ）ている。こうすることで、埋込部１１２ａの加工工程を省くことができ、それだけ容易に引き手構造１００を形成することができる。このことは、凹部１１０ａの奥行き幅Ｅに比較的余裕のある場合に特に有効となる。
【００５２】
［変形例５］
図１５及び図１６は、第１の実施形態において保持体１２０の表面１２０ａに板体１３０を設けた一例を示す概略側面図である。図１５では、指Ｆが凹部１１０ａに差し入れられていない状態を、図１６では、指Ｆが凹部１１０ａに差し入れられている状態を示している。
【００５３】
変形例５において、保持体１２０は弾性体として作用する。保持体１２０の表面１２０ａには、扉部２００の外観（具体的には配色、表面形状や模様など）と同様の外観を有する板体１３０が設けられている。こうすることで、板体１３０の表面１３０ａを扉部２００の外観と同様の外観とすることができる。これにより、引き手構造１００全体もしくは扉部２００全体の外観に統一感をもたせることができ、従って、引き手構造１００もしくは扉部２００の美観性をさらに向上させることができる。この例では、指Ｆが板体１３０を押し込んでいないときに板体１３０の表面１３０ａと前端部１１１に対向する面１００ａとを連続（一致又は略一致）させている。
【００５４】
なお、この変形例５において、弾性体として作用する保持体１２０として、ゴム、ウレタン樹脂のような弾性素材、シリコンジェル等のような粘弾性素材を用いてもよいし、ばね等の付勢部材を用いてもよい。
【００５５】
［第２の実施形態］
図１７は、第２の実施形態に係る引き手構造１００を拡大して示す概略側面図である。第２の実施形態に係る引き手構造１００は、第１の実施形態において保持体１２０を設ける面１００ａを、扉部２００における壁部１１２の前端部１１１と対向する面に代えて収納体３００における前側の壁部３０１の前端部１１１と対向する面とした一例である。
【００５６】
本実施の形態において、保持体１２０は、収納体３００における前側の壁部３０１の前端部１１１と対向する面１００ａに設けられている。こうすることで、扉部２００の保持体１２０を設ける部分を無くすことができ、これにより、扉部２００の厚みを薄くすることができる。また、扉部２００に形成される凹部１１０ａの加工を簡素化することができる。
【００５７】
詳しく述べると、扉部２００に形成される引き手部１１０は、前端部１１１よりも開扉側（開扉方向Ｐ１）とは反対側（閉扉方向Ｐ２）が開放された形状となっている。引き手部１１０を構成する凹部１１０ａは、扉部２００が閉扉されたときに収納体３００の前側の壁部３０１と共に略Ｕ字状の凹形状を構成する。そして、収納体３００の前側の壁部３０１には、保持体１２０を埋め込むための埋込部３０１ａが設けられている。埋込部３０１ａは、保持体１２０の形状に対応する形状に形成されている。保持体１２０は、埋込部３０１ａの内側面３０１ｂに変形（弾性変形）可能に固定された状態で埋込部３０１ａに埋め込まれている。
【００５８】
図１８から図２１は、第２の実施形態に係る引き手構造１００において扉部２００の開放動作の例を示す概略側面図である。図１８では、指Ｆを第１関節Ｆ１で伸ばしたままの状態を、図１９では、指Ｆを第１関節Ｆ１及び第２関節Ｆ２で曲げた姿勢を、図２０では、扉部２００の開扉を行う際に保持体１２０から指Ｆの第１関節Ｆ１の甲側の部分や第２関節Ｆ２の甲側の部分を離した状態を、図２１では、扉部２００の開扉を行う際に指Ｆの第１関節Ｆ１の甲側の部分や第２関節Ｆ２の甲側の部分を保持体１２０に押し付けている状態を示している。
【００５９】
図１８に示すように、凹部１１０ａに指Ｆを上方から下方へ略鉛直に差し入れた際には指Ｆは第１関節Ｆ１で屈曲されずに伸びたままとなる。しかし、図１９に示すように、指Ｆの第１関節Ｆ１の甲側の部分や第２関節Ｆ２の甲側の部分を保持体１２０に押し付けることで、指Ｆが第１関節Ｆ１及び第２関節Ｆ２で曲げる姿勢をとることができる。また、指Ｆの指先を引き手部１１０の前端部１１１に掛けるとともに指Ｆの第１関節Ｆ１の甲側の部分及び第２関節Ｆ２の甲側の部分を保持体１２０に押し付けることにより、指Ｆの第２関節Ｆ２より指先側の部位の姿勢を安定的に固定することができる。このため、指Ｆの姿勢維持のための筋力をより小さくすることができ、結果として扉部２００の開扉に際して使用者が感じる指Ｆへの負担感を軽減させることができる。
【００６０】
また、扉部２００の開扉の際に、図２０に示すように、保持体１２０から指Ｆの第１関節Ｆ１の甲側の部分や第２関節Ｆ２の甲側の部分を離した状態で扉部２００の開扉を行うだけでなく、図２１に示すように、指Ｆの第１関節Ｆ１の甲側の部分や第２関節Ｆ２の甲側の部分を保持体１２０に押し付けながら扉部２００の開扉を行うこともできる。この場合、扉部２００が開かれるにつれて指Ｆは、第１関節Ｆ１及び第２関節Ｆ２でさらに大きく曲げる姿勢をとることができ、例えば、最終的に手のひらを握りしめるような状態で扉部２００の開扉を行うことができる。このため、指Ｆの筋肉にかかる負担をさらに軽減させることができる。なお、かかる構成では、指Ｆを第１関節Ｆ１及び第２関節Ｆ２で曲げる際に指Ｆの第２関節Ｆ２の甲側の部分を保持体１２０の表面１２０ａに対して下方に滑らせることとなる。このため、保持体１２０の表面１２０ａにおける摩擦係数（静止摩擦係数及び動摩擦係数）は、前側の壁部３０１の摩擦係数よりも小さい方が好ましい。又、保持体１２０の表面１２０ａの弾性を下方に向かうにつれ減少させ、指の形に変形しやすくすることでも上記の効果を満たすことができる。
【００６１】
［第３の実施形態］
図２２は、第３の実施形態に係る引き手構造１００において引き手構造１００を扉部２００の中央寄りの位置に設けた一例を示す概略側面図である。
【００６２】
第３の実施形態に係る引き手構造１００は、第１の実施形態において引き手構造１００を扉部２００の端部に代えて扉部２００の中央寄りに設けた一例である。こうすることで、引き手構造１００を扉部２００の端部に限定されることなく扉部２００の所望の位置に設けることができ、これにより、設計の自由度を向上させることができる。
【００６３】
なお、第３の実施形態に係る引き手構造１００は、第１の実施形態において引き手構造１００を扉部２００の中央部の位置に設けるようにしても良いし、第２の実施形態において引き手構造１００を扉部２００の中央寄りの位置又は中央部の位置に設けるようにしても良い。
【００６４】
［第４の実施形態］
図２３及び図２４は、第４の実施形態に係る引き手構造１００において第１の実施形態の変形例５に対してさらに扉部２００のロック機構１４０を設けた一例を示す概略側面図である。図２３では、指Ｆが凹部１１０ａに差し入れられていない状態を、図２４では、指Ｆが凹部１１０ａに差し入れられている状態を示している。
【００６５】
本実施の形態では、引き手構造１００は、扉部２００をロック（扉部２００の開扉を禁止）するロック機構１４０をさらに備えている。
【００６６】
引き手構造１００は、指Ｆが板体１３０を押し込んでいないときには、ロック機構１４０により扉部２００（引き出し部３２０）をロックする構成とされている（図２３参照）。そして、引き手構造１００は、扉部２００の開扉時の指Ｆによる板体１３０への押し込み動作と、ロック機構１４０による扉部２００のロック解除動作（扉部２００の開放動作）とを連動させる構成とされている（図２４参照）。こうすることで、扉部２００の開放の際にロック機構１４０による扉部２００のロック解除動作を意識することなく、しかも、ロック機構１４０による扉部２００のロック解除動作のためだけの別途の動作を要することなく、扉部２００の開扉時の指Ｆによる板体１３０への押し込み動作により扉部２００を開放することができる。また、扉部２００を開放する際に板体１３０に指Ｆの第１関節Ｆ１の部分や第２関節Ｆ２の部分を押し込む動作を常に伴うようにすることができる。従って、かかる押し付け動作の習慣付けを使用者に着実に達成させることができる。これにより、指Ｆへの負担を伴わない或いは殆ど伴わない指Ｆによる引き手部１１０の引っ張り動作を使用者に確実に行わせることができ、結果として扉部２００を開扉するに際して使用者が感じる指Ｆへの負担感を軽減させることができる。さらに、指Ｆが板体１３０を押し込まない単純な引き動作により、使用者が意図せずに扉部２００が開いてしまうことを効果的に防止することができる。
【００６７】
詳しい例として、ロック機構１４０が、引き手側ロック部１４１及び収納体側ロック部１４２を備えているものを挙げることができる。ロック機構１４０は、指Ｆが板体１３０を押し込んでいないときには（図２３参照）、引き手側ロック部１４１が収納体側ロック部１４２と係合する一方、扉部２００の開扉時の指Ｆにより板体１３０が押し込まれると（図２４参照）、引き手側ロック部１４１の収納体側ロック部１４２との係合が解除される構成とされている。具体的には、板体１３０の後部（開扉側とは反対側）には、引き手側ロック部１４１が設けられ、収納体３００の前側の壁部３０１には、引き手側ロック部１４１と係合する収納体側ロック部１４２が設けられている。引き手側ロック部１４１は、左右方向Ｈに沿った回動軸線回りに回動自在に板体１３０に設けられている。板体１３０の後部には、左右方向Ｈに沿った回動軸１４１ｂが固定されている。引き手側ロック部１４１は、基端部で回動軸１４１ｂに回動自在に設けられ、かつ、先端部で引き手側係合部１４１ａが設けられている。収納体３００の前側の壁部３０１には、ロック室３０１ｃが設けられている。収納体側ロック部１４２は、基端部でロック室３０１ｃの内側面３０１ｄに固定され、かつ、先端部で引き手側係合部１４１ａと係合する収納体側係合部１４２ａが設けられている。引き手側ロック部１４１は、指Ｆが板体１３０を押し込んでいないときに開閉方向Ｐに沿っており（図２３参照）、指Ｆが板体１３０を押し込むことで（図２４参照）、ロック室３０１ｃの内側面３０１ｄに押圧されるように構成されている。引き手側ロック部１４１は、引き手側係合部１４１ａがロック室３０１ｃの内側面３０１ｄに押圧されていないときには、自重及び／又はバネ等の付勢部材（この例では重力）により回動軸１４１ｂ回りの係合側（この例では下方）に回動して引き手側係合部１４１ａが収納体側係合部１４２ａと係合する構成とされている。引き手側係合部１４１ａの先端面１４１ｃは、傾斜面とされている。すなわち、先端面１４１ｃは、ロック室３０１ｃの内側面３０１ｄに押圧されると、引き手側ロック部１４１が重力及び／又は付勢部材（この例では重力）に抗して回動軸１４１ｂ回りの係合側とは反対側（この例では上方）に回動することで、引き手側係合部１４１ａの収納体側係合部１４２ａとの係合が解除されるように傾斜している。なお、保持体１２０及び壁部１１２の引き手側ロック部１４１に対応する位置には、引き手側ロック部１４１を挿通する挿通孔１２０ｂ，１１２ｃが設けられている。
【００６８】
かかる構成を備えた引き手構造１００では、図２３に示すように、扉部２００が閉じられて指Ｆが板体１３０を押し込んでいないときには、引き手側係合部１４１ａと収納体側係合部１４２ａとが係合される（噛み合う）。これにより、扉部２００がロックされる。一方、図２４に示すように、引き手部１１０に指Ｆを差し入れて板体１３０を指Ｆの第１関節Ｆ１の甲側の部分や第２関節Ｆ２の甲側の部分で押し込むと、指Ｆによる板体１３０の押し込みに伴って引き手側ロック部１４１における先端面１４１ｃがロック室３０１ｃの内側面３０１ｄに沿って係合側とは反対側に摺動し、引き手側ロック部１４１が回動軸１４１ｂ回りの係合側とは反対側に回動する。そうすると、引き手側係合部１４１ａと収納体側係合部１４２ａとの係合が解除される（噛み合いが外される）。これにより、扉部２００のロックが解除される。また、扉部２００が閉じられる際には、引き手側ロック部１４１における先端面１４１ｃが収納体側係合部１４２ａに当接しながら収納体側係合部１４２ａに沿って係合側とは反対側に摺動して収納体側係合部１４２ａを超えると、引き手側ロック部１４１が回動軸１４１ｂ回りの係合側に回動する。そうすると、引き手側係合部１４１ａと収納体側係合部１４２ａとが係合される（噛み合う）。これにより、扉部２００がロックされる。
【００６９】
なお、第４の実施形態において、変形例５と同様、弾性体として作用する保持体１２０として、ゴム、ウレタン樹脂のような弾性素材、シリコンジェル等のような粘弾性素材を用いてもよいし、ばね等の付勢部材を用いてもよい。
【００７０】
また、第４の実施の形態を第２の実施形態及び第３の実施形態に適用しても良い。
【００７１】
［第５の実施形態］
ロック機構１４０は、第４の実施形態のような、指Ｆにより直接的にロック解除されるものでなくてもよく、例えば、電気制御を介して間接的にロック解除されるようになっても良い。
【００７２】
図２５及び図２６は、第５の実施形態に係る引き手構造１００において第４の実施形態の構成を電気制御により実現させる例を示す概略側面図である。図２５では、指Ｆが凹部１１０ａに差し入れられていない状態を、図２６では、指Ｆが凹部１１０ａに差し入れられている状態を示している。
【００７３】
第５の実施形態に係る引き手構造１００において、第４の実施形態の引き手側ロック部１４１及び収納体側ロック部１４２は扉部２００及び収納体３００の別部分に設けられ（図示せず）、検知部１５０が板体１３０の後方（閉扉方向Ｐ２側）に設けられている。
【００７４】
図２５及び図２６に示すように、引き手構造１００は、検知部１５０（この例ではスイッチ部）と、制御部１６０と、ロック駆動部１７０とをさらに備えている。検知部１５０は、指Ｆによる板体１３０の押し込みの有無を検知する。検知部１５０は、作動部１５０ａを有し、作動部１５０ａが押圧されているときにオンする一方、作動部１５０ａの押圧が解除されるとオフするプッシュスイッチとしている。検知部１５０は、作動部１５０ａが板体１３０側を向くように埋込部１１２ａの内側面１１２ｂに設けられている。検知部１５０は、制御部１６０の入力系に電気的に接続されており、作動部１５０ａの押圧の有無を示す検知信号を制御部１６０に送信する。なお、保持体１２０の検知部１５０に対応する位置には、検知部１５０を収容する収容孔１２０ｃが設けられている。
【００７５】
ロック駆動部１７０は、制御部１６０からの指示信号によりロック機構１４０を動作させる構成とされている。ロック駆動部１７０は、制御部１６０の出力系に電気的に接続されており、制御部１６０からの指示信号を受信する。制御部１６０は、検知部１５０からの検知信号に基づいてロック駆動部１７０を作動制御する。詳しく述べると、制御部１６０は、検知部１５０から指Ｆによる板体１３０の押し込み有りを示す押し込み有り信号を受信した場合には、ロック駆動部１７０にロック解除信号を送信し、ロック機構１４０が扉部２００のロックを解除するようにロック駆動部１７０を作動させる。
【００７６】
図２７は、第５の実施形態に係る引き手構造１００においてロック機構１４０により扉部２００がロックされた状態からロック機構１４０による扉部２００のロックが解除されるまでの流れの一例を示す流れ図である。
【００７７】
図２７に示す流れ図では、指Ｆにより板体１３０が押し込まれると（Ｓａ１）、検知部１５０が指Ｆによる板体１３０の押し込みを検知する（Ｓａ２）。次に、検知部１５０から制御部１６０に押し込み有り信号が伝わる（Ｓａ３）。次に、制御部１６０はロック駆動部１７０にロック解除信号を伝える（Ｓａ４）。次に、ロック駆動部１７０はロック解除信号に基づきロック機構１４０による扉部２００のロック解除を実施する（Ｓａ５）。このように電気制御によりロック機構１４０による扉部２００のロック解除が実施されても、第４の実施形態と同様の効果を得ることができる。また、扉部２００が閉じられる際には、制御部１６０は扉部２００が閉じたことを示す閉じ信号を検知すると、ロック駆動部１７０にロック信号を伝える。そうすると、ロック駆動部１７０はロック信号に基づいてロック機構１４０により扉部２００をロックする。
【００７８】
なお、第５の実施形態において、変形例５と同様、弾性体として作用する保持体１２０として、ゴム、ウレタン樹脂のような弾性素材、シリコンジェル等のような粘弾性素材を用いてもよいし、ばね等の付勢部材を用いてもよい。
【００７９】
また、本実施の形態では、検知部１５０は、スイッチ部とされているが、それに限らず、圧電センサ等のセンサ部であっても良い。また、第５の実施の形態を第２の実施形態及び第３の実施形態に適用しても良い。
【００８０】
［第６の実施形態］
また、第４の実施の形態及び第５の実施形態では、指Ｆによる板体１３０の押し込み動作とロック機構１４０による扉部２００のロック解除動作とを連動させる例を示したが、指Ｆによる板体１３０の押し込み動作と自動開放機構１８０による扉部２００の自動開放動作と連動させても良い。例えば、図２８に示す流れ図のように電気制御により実現されても良い。
【００８１】
引き手構造１００は、図２５及び図２６に示すように、自動開放機構１８０と、扉開放駆動部１９０とをさらに備えている。自動開放機構１８０は、扉部２００を電動で自動的に開放する構成とされている。扉開放駆動部１９０は、制御部１６０からの指示信号により自動開放機構１８０を動作させる構成とされている。扉開放駆動部１９０は、制御部１６０の出力系に電気的に接続されており、制御部１６０からの指示信号を受信する。制御部１６０は、検知部１５０からの検知信号に基づいて扉開放駆動部１９０を作動制御する。詳しく述べると、制御部１６０は、検知部１５０から押し込み有り信号を受信した場合には、扉開放駆動部１９０に扉開放信号を送信し、自動開放機構１８０が扉部２００を開放するように扉開放駆動部１９０を作動させる。
【００８２】
図２８は、第６の実施形態に係る引き手構造１００において自動開放機構１８０により扉部２００が閉じた状態から自動開放機構１８０による扉部２００が開放されるまでの流れの一例を示す流れ図である。
【００８３】
図２８に示す流れ図では、指Ｆにより板体１３０が押し込まれると（Ｓｂ１）、検知部１５０が指Ｆによる板体１３０の押し込みを検知する（Ｓｂ２）。次に、検知部１５０から制御部１６０に押し込み有り信号が伝わる（Ｓｂ３）。次に、制御部１６０は扉開放駆動部１９０に扉開放信号を伝える（Ｓｂ４）。次に、扉開放駆動部１９０は扉開放信号に基づき自動開放機構１８０による扉部２００の扉開放駆動を実施する（Ｓｂ５）。このようにして指Ｆによる板体１３０の押し込み動作と自動開放機構１８０による扉部２００の自動開放動作と連動させることにより、自動開放機構１８０による扉部２００の自動開放動作のためだけの別途の動作を要することなく、扉部２００の開扉時の指Ｆによる板体１３０の押し込み動作により扉部２００を開放することができる。特に、従来存在する扉部にタッチして自動開放を行う方式のものでは、扉部のタッチ動作の方向（扉部に手を近づける方向）と扉部の自動開放方向（扉部が引き出される方向）とが逆となる。このため、扉部の自動開放の際に使用者の手と扉部とが衝突するような違和感を生じさせることがあったが、ここで示す実施形態の場合、板体１３０の押し込みの際には使用者の手は引き手部１１０を引っ張る方向を意識して動作するため、扉部２００の自動開放方向と使用者の手の動作の方向が同じ方向となり、扉部にタッチして自動開放を行う方式のような、扉部の自動開放の際に使用者の手と扉部とが衝突するといった違和感を生じさせることを回避することができる。
【００８４】
なお、第６の実施形態において、変形例５と同様、弾性体として作用する保持体１２０として、ゴム、ウレタン樹脂のような弾性素材、シリコンジェル等のような粘弾性素材を用いてもよいし、ばね等の付勢部材を用いてもよい。
【００８５】
また、本実施の形態では、自動開放機構１８０を扉開放駆動部１９０の電気制御により動作させる構成とされているが、それに限らず、第４の実施形態に係る引き手構造１００のような単純機械であっても良い。
【００８６】
図２９は、板体１３０と同期して動く押し出し部１９０ｂの一例を設けた概略側面図である。図２９に示すように、押し出し部１９０ｂは、開閉方向Ｐに往復移動自在に壁部１１２の埋込部１１２ａに設けられて開扉方向Ｐ１に付勢されている。押し出し部１９０ｂは、板体１３０と連動しており、指Ｆが板体１３０を押し込むことで、収納体３００側に突き出て収納体３００の前側の壁部３０１を押圧する。このように、押し出し部１９０ｂが収納体３００の前側の壁部３０１を押圧することで、前側の壁部３０１からの反作用により、扉部２００が開放される。
【００８７】
これにより電気制御を用いずに扉開放駆動を実施できる。電気制御の場合と比べ、製造及び修理に要するコストを減らすことができる。
【００８８】
また、第６の実施の形態を第２の実施形態、第３の実施形態、第４の実施形態及び第５の実施形態に適用しても良い。
【００８９】
また、第１の実施の形態から第６の実施形態の扉部２００は、スライドするものであったが、それに限らず、鉛直方向又は左右方向Ｈに回動するものであっても良い。
【００９０】
本発明は、以上説明した実施の形態に限定されるものではなく、他のいろいろな形で実施することができる。そのため、かかる実施の形態はあらゆる点で単なる例示にすぎず、限定的に解釈してはならない。本発明の範囲は請求の範囲によって示すものであって、明細書本文には、なんら拘束されない。さらに、請求の範囲の均等範囲に属する変形や変更は、全て本発明の範囲内のものである。
【符号の説明】
【００９１】
１００    引き手構造
１００ａ  前端部と対向する面
１１０    引き手部
１１０ａ  凹部
１１０ｂ  底部
１１１    前端部
１１１ａ  頂面
１１２    壁部
１２０    保持体
１３０    板体
１４０    ロック機構
１５０    検知部
１６０    制御部
１７０    ロック駆動部
１８０    自動開放機構
１９０    扉開放駆動部
１９０ｂ  押し出し部
２００    扉部
３００    収納体
Ｄ        深さ方向
Ｅ        奥行き幅
Ｆ        指
Ｆ１      第１関節
Ｆ２      第２関節
Ｈ        左右方向
Ｌａ      距離
Ｌｂ      距離
Ｐ        開閉方向
Ｐ１      開扉方向
Ｐ２      閉扉方向
Ｖ        差し入れ方向
【図１】
2019024685.tif 000003
【図２】
2019024685.tif 000004
【図３】
2019024685.tif 000005
【図４】
2019024685.tif 000006
【図５】
2019024685.tif 000007
【図６】
2019024685.tif 000008
【図７】
2019024685.tif 000009
【図８】
2019024685.tif 000010
【図９】
2019024685.tif 000011
【図１０】
2019024685.tif 000012
【図１１】
2019024685.tif 000013
【図１２】
2019024685.tif 000014
【図１３】
2019024685.tif 000015
【図１４】
2019024685.tif 000016
【図１５】
2019024685.tif 000017
【図１６】
2019024685.tif 000018
【図１７】
2019024685.tif 000019
【図１８】
2019024685.tif 000020
【図１９】
2019024685.tif 000021
【図２０】
2019024685.tif 000022
【図２１】
2019024685.tif 000023
【図２２】
2019024685.tif 000024
【図２３】
2019024685.tif 000025
【図２４】
2019024685.tif 000026
【図２５】
2019024685.tif 000027
【図２６】
2019024685.tif 000028
【図２７】
2019024685.tif 000029
【図２８】
2019024685.tif 000030
【図２９】
2019024685.tif 000031